(57)【要約】【課題】  美観を向上させることができる輻射パネル構造体および空気調和機を提供する。【解決手段】  輻射パネル構造体は、温度調整された空気によって大気圧より大きな圧力が生じる圧力発生空間を有し空気の吹出しと輻射とによって室内の温度調整を行う輻射パネル構造体であって、袋部４０ａと、内部フレーム４１ａとを備える。袋部４０ａは、柔軟且つ空気が透過可能な材料によって袋状に形成され、圧力発生空間を内部に構成する。内部フレーム４１ａは、袋部４０ａの内部に配置され、袋部４０ａを所定形状に保持する。【選択図】      図３
2005140386.tif 000002
【特許請求の範囲】
【請求項１】
温度調整された空気が送られる内部空間（ＰＳ）を有し、前記空気の吹出しと輻射とによって室内（Ｒ）の温度調整を行う輻射パネル構造体であって、
柔軟且つ空気が透過可能な材料によって袋状に形成され、前記内部空間（ＰＳ）を内部に構成する袋部（４０ａ）と、
前記袋部（４０ａ）の内部に配置され、前記袋部（４０ａ）を所定形状に保持する内部フレーム（４１ａ）と、
を備える輻射パネル構造体（１ａ）。
【請求項２】
前記袋部（４０ａ）は、平坦な形状に保持される、
請求項１に記載の輻射パネル構造体（１ａ）。
【請求項３】
前記袋部（４０ａ）と前記内部フレーム（４１ａ）とは、前記内部フレーム（４１ａ）が前記袋部（４０ａ）の内部に配置された状態で前記袋部（４０ａ）に所定のテンションが作用するように形成される、
請求項１または２に記載の輻射パネル構造体（１ａ）。
【請求項４】
前記袋部（４０ａ）は、前記内部フレーム（４１ａ）が挿入される開口（４６）と、前記開口（４６）を開閉する開閉部（４７）とを有する、
請求項３に記載の輻射パネル構造体（１ａ）。
【請求項５】
前記袋部（４０ａ）は、伸縮性を有する材料によって形成される、
請求項４に記載の輻射パネル構造体（１ａ）。
【請求項６】
前記内部フレーム（４１ａ）は、伸縮構造を有する、
請求項３に記載の輻射パネル構造体（１ａ）。
【請求項７】
前記内部フレーム（４１ａ）は、平坦な形状に組み合わされた複数の線状部材（Ｌ１−Ｌ６）から構成される、
請求項１から６のいずれかに記載の輻射パネル構造体（１ａ）。
【請求項８】
前記袋部（４０ａ）は、前記室内（Ｒ）の天井面（ＣＬ）に近接して配置される、
請求項１から７のいずれかに記載の輻射パネル構造体（１ａ）。
【請求項９】
請求項１から８のいずれかに記載の輻射パネル構造体（１ａ）と、
前記輻射パネル構造体（１ａ）へと温度調整された前記空気を送る送風装置（２ａ，２ｂ）と、
を備える空気調和機（１００）。
【発明の詳細な説明】
【技術分野】
【０００１】
本発明は、輻射パネル構造体および空気調和機に関する。
【背景技術】
【０００２】
従来、温度調整された空気を室内へと吹き出して室内の温度調整を行う対流型空気調和機がよく利用されている。この対流型空気調和機は、通常、室内へと吹き出される空気が通る吹出し口を備えている。この吹出し口は、例えば、空気調和機の室内機の長手方向に沿って室内機の正面下部に設けられた開口である。対流型空気調和機は、吹出し口から温度調整された空気を室内へと吹き出し、温度調整された空気の対流を室内に発生させる。これによって、温度調整された空気を室内の広範囲に到達させることができ、室内の温度調整を行うことができる（特許文献１参照）。
【特許文献１】特開２００１−４１４８８号公報
【発明の開示】
【発明が解決しようとする課題】
【０００３】
しかし、上記のような対流型空気調和機では、ドラフトが発生する恐れがある。すなわち、対流型空気調和機では、吹出し口から吹き出た空気の対流が、室内の居住者等に直接に接触し易い。このため、居住者等が不快感を感じる恐れがある。
そこで、本願発明者は、特願２００３−０４２８０５号特許出願明細書に記載された輻射パネル構造体を案出している。この輻射パネル構造体は、繊維系材料によって形成された輻射パネルを備えており、温度調整された空気によって輻射パネル内部の圧力発生空間に大気圧より大きな圧力を生じさせることによって、空気の吹出しと輻射とによって室内の温度調整を行う。これにより、輻射と穏やかな空気の吹出しとによって、ドラフトを抑えた穏やかな温度調整を行うことができる。
【０００４】
しかし、このような輻射パネル構造体では、輻射パネルが繊維系材料などの柔軟な材料によって形成されているために、その形状を所定形状に保持することが困難である。例えば、輻射パネルが下方へと垂れ下がった状態になり易い。このため、輻射パネル構造体の美観が損なわれる恐れがある。
本発明の課題は、美観を向上させることができる輻射パネル構造体および空気調和機を提供することにある。
【課題を解決するための手段】
【０００５】
請求項１に記載の輻射パネル構造体は、温度調整された空気が送られる内部空間を有し空気の吹出しと輻射とによって室内の温度調整を行う輻射パネル構造体であって、袋部と、内部フレームとを備える。袋部は、柔軟且つ空気が透過可能な材料によって袋状に形成され、内部空間を内部に構成する。内部フレームは、袋部の内部に配置され、袋部を所定形状に保持する。
【０００６】
この輻射パネル構造体では、袋部の内部に配置される内部フレームによって袋部が所定形状に保持される。このため、この輻射パネル構造体では、美観を向上させることができる。
請求項２に記載の輻射パネル構造体は、請求項１に記載の輻射パネル構造体であって、袋部は、平坦な形状に保持される。
【０００７】
この輻射パネル構造体では、袋部は内部フレームによって平坦な形状に保持される。このため、輻射を行う部分の面積を比較的大きく確保することができ、効率的な温度調整を行うことができる。
請求項３に記載の輻射パネル構造体は、請求項１または２に記載の輻射パネル構造体であって、袋部と内部フレームとは、内部フレームが袋部の内部に配置された状態で袋部に所定のテンションが作用するように形成される。
【０００８】
この輻射パネル構造体では、内部フレームが袋部の内部に配置された状態で袋部に所定のテンションが作用する。このため、袋部のたるみを抑えることができ、美観をより向上させることができる。
請求項４に記載の輻射パネル構造体は、請求項３に記載の輻射パネル構造体であって、袋部は、内部フレームが挿入される開口と、開口を開閉する開閉部とを有する。
【０００９】
この輻射パネル構造体では、袋部の内部に内部フレームを挿入した状態で、開閉部を閉じることによって、袋部の内部に内部フレームを設置することができる。従って、袋部と開閉部との寸法を近いものとすることによって、袋部に所定のテンションが作用した状態とすることができる。
請求項５に記載の輻射パネル構造体は、請求項４に記載の輻射パネル構造体であって、袋部は、伸縮性を有する材料によって形成される。
【００１０】
この輻射パネル構造体では、袋部は伸縮性を有する材料によって形成される。このため、袋部の寸法を比較的小さくしても、袋部の伸縮性を利用して内部フレームを袋部の内部に挿入することができる。これにより、袋部に所定のテンションが作用した状態とすることができる。
請求項６に記載の輻射パネル構造体は、請求項３に記載の輻射パネル構造体であって、内部フレームは、伸縮構造を有する。
【００１１】
この輻射パネル構造体では、内部フレームが伸縮構造を有するため、袋部の内部に内部フレームを挿入した状態で、内部フレームを伸張させることができる。これにより、袋部に所定のテンションが作用した状態とすることができる。
請求項７に記載の輻射パネル構造体は、請求項１から６のいずれかに記載の輻射パネル構造体であって、内部フレームは、平坦な形状に組み合わされた複数の線状部材から構成される。
【００１２】
この輻射パネル構造体では、内部フレームは、平坦な形状に組み合わされた複数の線状部材から構成される。このため、袋部からの空気の吹出しが内部フレームによって妨げられる恐れが少ない。
請求項８に記載の輻射パネル構造体は、請求項１から７のいずれかに記載の輻射パネル構造体であって、袋部は、室内の天井面に近接して配置される。
【００１３】
この輻射パネル構造体では、袋部は、室内の天井面に近接して配置される。このため、室内の居住者等に与える圧迫感を低減すると共に、室内を幅広く温度調整することができる。
請求項９に記載の空気調和機は、請求項１から８のいずれかに記載の輻射パネル構造体と、送風装置とを備える。送風装置は、輻射パネル構造体へと温度調整された空気を送る。
【００１４】
この空気調和機では、輻射パネル構造体の袋部の内部に配置される内部フレームによって袋部が所定形状に保持される。このため、この空気調和機では、美観を向上させることができる。
【発明の効果】
【００１５】
請求項１に記載の輻射パネル構造体では、美観を向上させることができる。
請求項２に記載の輻射パネル構造体では、輻射を行う部分の面積を比較的大きく確保することができ、効率的な温度調整を行うことができる。
請求項３に記載の輻射パネル構造体では、袋部のたるみを抑えることができ、美観をより向上させることができる。
【００１６】
請求項４に記載の輻射パネル構造体では、袋部と開閉部との寸法を近いものとすることによって、袋部に所定のテンションが作用した状態とすることができる。
請求項５に記載の輻射パネル構造体では、袋部の寸法を比較的小さくしても、袋部の伸縮性を利用して内部フレームを袋部の内部に挿入することができる。これにより、袋部に所定のテンションが作用した状態とすることができる。
【００１７】
請求項６に記載の輻射パネル構造体では、袋部の内部に内部フレームを挿入した状態で、内部フレームを伸張させることができる。これにより、袋部に所定のテンションが作用した状態とすることができる。
請求項７に記載の輻射パネル構造体では、内部フレームは、平坦な形状に組み合わされた複数の線状部材から構成される。このため、袋部からの空気の吹出しが内部フレームによって妨げられる恐れが少ない。
【００１８】
請求項８に記載の輻射パネル構造体では、室内の居住者等に与える圧迫感を低減すると共に、室内を幅広く温度調整することができる。
請求項９に記載の空気調和機では、輻射パネル構造体の袋部の内部に配置される内部フレームによって袋部が所定形状に保持される。このため、この空気調和機では、美観を向上させることができる。
【発明を実施するための最良の形態】
【００１９】
［全体構成］
本発明の一実施形態にかかる空気調和機１００を図１および図２に示す。図１は、空気調和機１００および空気調和機１００が配置された室内Ｒの側面図であり、図２は、図１におけるII−II断面図である。この空気調和機１００は、輻射パネル構造体１ａと室内機２ａ（送風装置）と室外機３（図８参照）とを備えており、輻射と、温度調整された空気の吹き出しとによって冷暖房等の室内Ｒの空気調和を行うことができる。
【００２０】
［輻射パネル構造体］
輻射パネル構造体１ａは、図１に示すように、天井面ＣＬの近傍に天井面ＣＬに沿って配置され、温度調整された空気の温度を利用した輻射と、温度調整された空気の吹出しとによって冷暖房等の空気調和を行う。輻射パネル構造体１ａは、図１および図２に示すように、全体として薄い板状の外形を有しており、平面的な形状となっている。室内Ｒの側方に隣接する空間は、室内機２ａを収納する室内機収納空間ＳＰ１となっており、室内Ｒと室内機収納空間ＳＰ１とは仕切り部材Ｗによって仕切られている。仕切り部材Ｗは、室内Ｒの床面から天井面ＣＬまでに亘って設けられているが、室内Ｒと室内機収納空間ＳＰ１との間で空気の出入りが可能となっている。輻射パネル構造体１ａの側面の一つは、仕切り部材Ｗに近接しており、室内機収納空間ＳＰ１内の室内機２ａと接続されている。輻射パネル構造体１ａは、輻射パネル４ａと外部フレーム５ａとを有している。
【００２１】
〔輻射パネル〕
輻射パネル４ａは、輻射と空気の吹出しとを行う部分である。輻射パネル４ａの外観図を図３に示す。図３（ａ）は輻射パネル４ａの平面図であり、図３（ｂ）は輻射パネル４ａの側面図である。なお、図３（ａ）の輻射パネル４ａの平面図は、天井面ＣＬに設置された輻射パネル４ａを下方から見上げた図である。輻射パネル４ａは、薄い板状の外形であり平坦な形状を有している。輻射パネル４ａは、室内Ｒの天井面ＣＬに近接して配置されており、平面視において長方形の外形を有する。輻射パネル４ａは、袋部４０ａと内部フレーム４１ａ（図５および図６参照）と断熱材４２とを有する。
【００２２】
〈袋部〉
袋部４０ａは、天井面ＣＬの近傍に天井面ＣＬに略平行に配置される。袋部４０ａは、織布や不織布等の繊維系材料から袋状に形成され、図４に示すように、圧力発生空間ＰＳ（内部空間）を内部に構成する。なお、図４は、袋部４０ａの側面断面図を示しているが、内部フレーム４１ａ等は省略している。圧力発生空間ＰＳには、室内機２ａから温度調整された空気が送られることによって、大気圧より大きな圧力が生じる。また、袋部４０ａを形成する繊維系材料は、柔軟且つ空気が透過可能であると共に約０．９の輻射率を有する。このため、圧力発生空間ＰＳに送られた空気は、袋部４０ａの繊維の目の隙間から穏やかに吹出される。また、圧力発生空間ＰＳに送られた空気によって袋部４０ａの温度が調整されることにより、袋部４０ａから輻射が生じる。これにより、穏やかな空気の吹出しと輻射とによって室内Ｒの温度調整を行うことができる。なお、繊維系材料は伸縮性を有している。
【００２３】
袋部４０ａは、平坦な薄型の板状形状を有し、上面４３、下面４４および側面４５によって構成される。
袋部４０ａの上面４３は、室内Ｒの天井面ＣＬに沿って天井面ＣＬに略平行に配置されている。また、袋部４０ａの上面４３は、天井面ＣＬに近接して配置される。
袋部４０ａの下面４４は、室内Ｒに面する位置に天井面ＣＬと略平行に配置されている。袋部４０ａの下面４４は、図３（ａ）に示すように、下方の室内Ｒに対して長方形の投影形状を有しており、例えば、室内Ｒに配置される寝具を平面的に覆う程度の大きさを有している。
【００２４】
袋部４０ａの側面４５は、図３（ｂ）に示すように、それぞれ細長い長方形の形状を有している。袋部４０ａの側面４５からも上面４３や下面４４と同様に空気の吹き出しと輻射とが生じるが、袋部４０ａの側面４５からの空気の吹き出しと輻射とは、外部フレーム５ａによって所望の方向へと集約される。外部フレーム５ａについては、後に詳細に説明する。
【００２５】
また、図３（ａ）に示すように、袋部４０ａの側面４５の一つには、内部フレーム４１ａが挿入される開口である内部フレーム挿入口４６と、内部フレーム挿入口４６を開閉する開閉部４７とが設けられている。開閉部４７は、内部フレーム挿入口４６を開閉するファスナーによって構成される。
さらに、袋部４０ａの側面４５の一つには、空気取入れ口４８が設けられている。空気取入れ口４８は、温度調整された空気を取り入れる部分であり、空気取入れ口４８は、図４に示すように、一端が室内機２ａの吹出し口２５に取り付けられたダクト９の他端に接続され、室内機２ａから圧力発生空間ＰＳへと送られる空気が通過する。
【００２６】
〈内部フレーム〉
内部フレーム４１ａは、袋部４０ａの内部に配置され袋部４０ａを上記のような薄い板状の形状に保持する部材である。内部フレーム４１ａの外観図を図５に示す。図５（ａ）は、内部フレーム４１ａの平面図であり、天井面ＣＬ側から内部フレーム４１ａを見た図である。内部フレーム４１ａは、平坦な形状に組み合わされた複数の線状部材Ｌ１−Ｌ６から構成される。複数の線状部材Ｌ１−Ｌ６は、例えば、ステンレスなどの金属や樹脂等の所定の剛性を有する材料によって形成されている。
【００２７】
図５（ａ）に示すように、内部フレーム４１ａの上面５８は、略長方形の外形を有しており、長方形の２つの長辺を構成する２本の第１線状部材Ｌ１と、２本の第１線状部材Ｌ１に亘って設けられる複数の第２線状部材Ｌ２とによって構成されている。複数の第２線状部材Ｌ２のうちの２本は、長方形の短辺を構成し、他の第２線状部材Ｌ２は、長方形の短辺に平行に略等間隔に配置されている。第２線状部材Ｌ２は、第１線状部材Ｌ１の間隔よりも僅かに長く形成されており、このため、第２線状部材Ｌ２の両端は、第１線状部材Ｌ１、すなわち、長方形の長辺から僅かに突出する突出部４１０を形成している。この内部フレーム４１ａの上面５８は、袋部４０ａの上面４３を上記のような形状に保持する。
【００２８】
内部フレーム４１ａの下面５９は、図６に示すように、内部フレーム４１ａの上面５８の外形と同様の大きさの長方形状に組み合わされた第３線状部材Ｌ３と、内部フレーム４１ａの上面５８の外形よりも一回り小さな長方形状に組み合わされた第４線状部材Ｌ４と、第３線状部材Ｌ３と第４線状部材Ｌ４とをつなぐ第５線状部材Ｌ５とによって構成されている。この内部フレーム４１ａの下面５９は、袋部４０ａの下面４４を上記のような形状に保持する。なお、図６は、図５（ｂ）におけるVI−VI断面図である。
【００２９】
また、内部フレーム４１ａの側面５７は、図５（ｂ）に示すように、内部フレーム４１ａの上面５８と下面５９とをつなぐ複数の第６線状部材Ｌ６によって構成されている。この内部フレーム４１ａの側面５７は、袋部４０ａの側面４５を上記のような形状に保持する。
内部フレーム４１ａは、図３（ａ）に示す袋部４０ａの内部フレーム挿入口４６から袋部４０ａの内部へと挿入される。袋部４０ａと内部フレーム４１ａとは、内部フレーム４１ａが袋部４０ａの内部に配置された状態で開閉部４７のファスナーを閉めることにより袋部４０ａに所定のテンションが作用するように寸法が設計されている。
【００３０】
〈断熱材〉
断熱材４２は、図３（ｂ）および図４に示すように、輻射パネル４ａの天井面ＣＬ側に位置する上面、すなわち、袋部４０ａの上面４３に固定されており、圧力発生空間ＰＳの天井面ＣＬ側に設けられている。袋部４０ａの上面４３と天井面ＣＬとの間には、約６ｍｍの隙間が設けられており、断熱材４２は袋部４０ａの上面４３に固定されて、この隙間に面している。断熱材４２は、約５ｍｍの厚さを有するシート状の形状であり、断熱材４２と天井面ＣＬとの間隔は極僅かとなっている。従って、断熱材４２は天井面ＣＬに近接している。断熱材４２は、袋部４０ａの上面４３の略全体を覆っている。
【００３１】
〔外部フレーム〕
外部フレーム５ａは、図２に示すように、外形が長方形の短辺の一つが欠けた形状となるように組み合わされた木製の枠であり、袋部４０ａの外部において輻射パネル４ａの側面、すなわち袋部４０ａの側面４５を囲む。なお、外部フレーム５ａを構成する材料は木に限らず輻射パネル４ａを支持できる所定の剛性を有するものであればよい。外部フレーム５ａは、袋部４０ａの空気取入れ口４８が設けられる側面４５すなわち仕切り部材Ｗに面する側面４５を除く他の全ての側面４５を囲んでいる。従って、外部フレーム５ａは、輻射パネル４ａの室内Ｒに面する側面４５の全体を囲んでいる。外部フレーム５ａは、図１に示すように、上端が天井面ＣＬに隙間なく固定されており、下端は袋部４０ａの下面４４と略同じ高さとなっている。外部フレーム５ａの高さ方向寸法は約６０ｍｍであり、輻射パネル構造体１ａは、非常に薄型な形状となっている。従って、輻射パネル構造体１ａでは、室内Ｒの居住者等へと与える圧迫感が低減されている。なお、袋部４０ａは自重や内圧等によって下面４４が下方へ凸に膨らんだ形状となるが、外部フレーム５ａは、膨らみの基端となる下面４４と側面４５との接続位置と略同じ高さとなっている。
【００３２】
また、外部フレーム５ａは、図７に示すように、内部フレーム４１ａを支持する支持部５０を有する。なお、図７は、図２におけるVII−VII断面図である。支持部５０は、外部フレーム５ａの２つの長辺の両方に設けられている。支持部５０は、外部フレーム５ａの内側に設けられたスリット５１と、スリット５１に設けられる金属製のレール５２とによって構成されている。スリット５１は、外部フレーム５ａの内側のうち天井面ＣＬに近い位置に設けられており、天井面ＣＬに平行に設けられている。内部フレーム４１ａの突出部４１０が、外部フレーム５ａの側方からこの支持部５０に通されて支持部５０に係止することによって、輻射パネル４ａが外部フレーム５ａに支持される。
【００３３】
［室内機］
室内機２ａは、輻射パネル４ａの圧力発生空間ＰＳへと温度調整された空気を送る。室内機２ａは、上述したように、室内Ｒから仕切られた室内機収納空間ＳＰ１に配置される。室内機２ａは、図８に示すように、室内熱交換器２０、室内ファン２１、室内ファンモータ２２、室内機ケーシング２３（図１参照）などを備えている。
【００３４】
室内機ケーシング２３は、室内熱交換器２０、室内ファン２１、室内ファンモータ２２等を内部に収納しており、図４に示すように、吸込み口２４と吹出し口２５とを備えている。
吸込み口２４は、室内Ｒから室内機ケーシング２３内へと取り入れられる空気が通る開口である。吸込み口２４は、室内機ケーシング２３の下面に設けられており、下方から空気を吸込む。
【００３５】
吹出し口２５は、吸込み口２４よりも上方に設けられており、室内機ケーシング２３内で室内熱交換器２０を通って輻射パネル構造体１ａへと送られる空気が通る開口である。吹出し口２５は、輻射パネル構造体１ａの空気取入れ口４８に接続されるダクト９の一端と接続される。
室内熱交換器２０は、図８に示すように、室外熱交換器３０や圧縮機３２等と冷媒配管２６，２７を介して接続されている。室内熱交換器２０は、通過する空気との間で熱交換を行うことによって、空気の温度調整を行う。室内ファン２１は、室内ファンモータ２２によって回転駆動され、室内Ｒから取り込まれ輻射パネル構造体１ａへと送られる空気流を生成する。この空気流は、吸込み口２４から室内機ケーシング２３の内部に取り込まれ、室内熱交換器２０、吹出し口２５および空気取入れ口４８を通って輻射パネル４ａの内部の圧力発生空間ＰＳへと到る空気の流れである。
【００３６】
［室外機］
室外機３は、室外に配置され、図８に示すように、アキュムレータ３１、圧縮機３２、四路切換弁３３、電動弁３４、室外ファン３８、室外ファンモータ３９、室外熱交換器３０等を備えている。圧縮機３２、電動弁３４、四路切換弁３３、室外熱交換器３０等は、室内熱交換器２０と共に冷媒回路を構成している。室外ファン３８は、室外ファンモータ３９によって回転駆動され、室外熱交換器３０を通る空気の流れを生成する。
【００３７】
［空気調和機の運転動作］
次に、この空気調和機１００によって室内Ｒの空気調和を行う場合の運転動作について説明する。
冷房運転時には、室内熱交換器２０が、蒸発器として機能して、通過する空気から熱を奪う。室内ファン２１によって室内機収納空間ＳＰ１を経て吸込み口２４から室内機ケーシング２３内に取り込まれた室内Ｒの空気は、室内熱交換器２０を通過する際に熱を奪われて冷却される。
【００３８】
この冷却された空気は、吹出し口２５、ダクト９、空気取入れ口４８を通り、袋部４０ａ内の圧力発生空間ＰＳへと送られる。空気が圧力発生空間ＰＳに送られると、大気圧より大きな正の静圧が圧力発生空間ＰＳに生じる。すなわち、図９に示すように、天井面ＣＬに平行に流れる空気の流れ（実線矢印Ａ１参照）に対して垂直な方向に大気圧より大きな圧力が生じる。このため、冷却された空気が、袋部４０ａの繊維の隙間から押し出され、室内Ｒへと穏やかに吹き出される（実線矢印Ａ２参照）。
【００３９】
また、袋部４０ａが冷却された空気と接触することによって、袋部４０ａが冷却される。このため、袋部４０ａによる冷輻射が生じる（破線矢印Ａ３参照）。
このように、この空気調和機１００では、袋部４０ａの繊維の隙間からの穏やかな吹き出しと、袋部４０ａの冷輻射とによって、室内Ｒの冷房が行われる。
暖房運転時には、室内熱交換器２０が凝縮器として機能して、通過する空気を加熱する。加熱された空気は、冷房運転時と同様に、袋部４０ａ内の圧力発生空間ＰＳへと送られる。そして、加熱された空気が、袋部４０ａの繊維の隙間から押し出され、室内Ｒへと穏やかに吹き出される。また、袋部４０ａが加熱された空気と接触することによって、袋部４０ａが加熱される。そして、袋部４０ａによる熱輻射が生じる。このように、この空気調和機１００では、袋部４０ａの繊維の隙間からの穏やかな吹出しと、袋部４０ａの熱輻射とによって、室内Ｒの暖房が行われる。
【００４０】
［特徴］
（１）
この輻射パネル構造体１ａでは、袋部４０ａの上面に断熱材４２が設けられているため、袋部４０ａを天井面ＣＬに近接させても、天井面ＣＬへの冷気の伝達を抑えることができる。このため、天井面ＣＬにおける結露の発生を抑えることができる。
【００４１】
（２）
この輻射パネル構造体１ａでは、天井面ＣＬにおける結露の発生を抑えることができるため、袋部４０ａを天井面ＣＬに近接して天井面ＣＬに沿って配置することが可能である。従って、輻射パネル４ａの位置を高くすることができ、室内Ｒへの飛び出しを小さくすることができる。このため、天井面ＣＬに設けられる輻射パネル構造体１ａが居住者等へ与える圧迫感を低減することができる。
【００４２】
（３）
この輻射パネル構造体１ａでは、袋部４０ａが柔軟な繊維系材料によって形成されているため、袋部４０ａだけでは、上記のような袋部４０ａの形状を保持することは困難である。しかし、この輻射パネル構造体１ａでは、内部フレーム４１ａが袋部４０ａを内部から支持しているため、袋部４０ａの形状を上記のような形状に容易に保持することができる。
【００４３】
（４）
この輻射パネル構造体１ａでは、外部フレーム５ａによって輻射パネル４ａの袋部４０ａの側面４５が囲まれる。このため、袋部４０ａから側方へと吹き出た空気を下方向の室内Ｒへと集約することが容易である。
また、この輻射パネル構造体１ａでは、外部フレーム５ａの上端が天井面ＣＬに隙間なく固定されており、外部フレーム５ａは、袋部４０ａの仕切り部材Ｗに面する側面４５を除く他の全ての側面４５を囲んでいる。このため、天井面ＣＬと輻射パネル４ａとの間に埃が侵入することを抑えることができる。
【００４４】
（５）
この輻射パネル構造体１ａでは、内部フレーム４１ａが外部フレーム５ａの支持部５０によって支持される。このため、袋部４０ａの内部に内部フレーム４１ａが収容された状態で、内部フレーム４１ａの突出部４１０が支持部５０に係止するように輻射パネル４ａを外部フレーム５ａに取り付けることによって、袋部４０ａを含む輻射パネル４ａを外部フレーム５ａによって容易に支持することができる。これにより、この輻射パネル構造体１ａでは、輻射パネル４ａを天井面ＣＬ近傍に容易かつ安定的に設置することができる。
【００４５】
（６）
この輻射パネル構造体１ａでは、輻射パネル構造体１ａは、ダクト９および外部フレーム５ａから輻射パネル４ａを容易に取り外すことができる構造となっており、開閉部４７のファスナーを開閉することによって内部フレーム挿入口４６から内部フレーム４１ａを容易に出し入れすることができる。このため、上記の輻射パネル構造体１ａを利用することによって、周期的に袋部４０ａを交換するメンテナンスを行い、袋部４０ａを清潔に保つサービスを提供することができる。
【００４６】
（７）
この輻射パネル構造体１ａでは、袋部４０ａの内部に内部フレーム４１ａを挿入した状態で、開閉部４７を閉じることによって、袋部４０ａの内部に内部フレーム４１ａを設置することができる。このため、袋部４０ａと開閉部４７との寸法を近いものとして袋部４０ａの寸法を比較的小さくしても、袋部４０ａの伸縮性を利用して内部フレーム４１ａを袋部４０ａの内部に挿入することができる。これにより、袋部４０ａに所定のテンションが作用した状態とすることができる。従って、袋部４０ａに所定のテンションが作用した状態とすることができ、袋部４０ａの膨らみやたるみを抑えることができる。これにより、輻射パネル構造体１ａの美観を向上させることができる。また、平坦な形状を保持することによって、輻射や空気の吹出しを下方へと均一に行うことができ、むらの少ない温度調整を行うことができる。
【００４７】
＜他の実施形態＞
（１）
上記の実施形態では、袋部４０ａが繊維系材料によって形成されているが、所定の輻射率を有し空気が透過可能な他の材料が使用されてもよい。例えば、多孔質性の樹脂フィルムなどが使用されもよい。
【００４８】
（２）
上記の実施形態では、室内機２ａは室内機ケーシング２３の下面に設けられた吸込み口２４から空気を吸込んでいるが、吸込み口２４が室内機ケーシング２３の側面、後面または側面と後面との両方に設けられた室内機が使用されてもよい。例えば、図１０に示すような室内機２ｂが考えられる。この室内機２ｂは、室内Ｒの天井面ＣＬに設けられる天吊型室内機であり、薄型の平坦な形状を有する。室内機２ｂは、室内機ケーシング２８の側面に設けられる吸込み口２９を有する。なお、「側面」や「後面」とは、室内機のうち輻射パネル構造体１ａが設けられる側を正面としたときの「側面」や「後面」を意味する。
【００４９】
このような室内機２ｂでは、吸込み口２９が下方の居住者等の視野に入り難くなり、美観が向上する。
（３）
上記の実施形態において、繊維の目の粗い繊維系材料を使用することによって、袋部４０ａの膨らみを防止してもよい。また、圧力発生空間ＰＳへと送られる空気の流量制御を併せて行うことによっても膨らみを抑えることができる。例えば、必要流量に対して袋部４０ａの膨らみが所定値以下となるような繊維の目の粗さを有する繊維系材料が選択されるとよい。これにより、膨らみを抑えて下方への略均一な空気の吹出しを行うことができる。
【００５０】
また、穏やかな吹出しと輻射を行うための第１層と、第１層の膨らみを抑えるための第２層とを有する２重構造の袋部４０ａが利用されてもよい。第１層は、例えば、上記のような繊維系材料や流量制御された多孔パネルによって形成され、第２層は、第１層の外側に設けられ、第１層よりも繊維の目が粗く膨らまない繊維系材料によって形成される。また、第２層は、木製、金属性、樹脂製などの材料によって格子状に形成されてもよい。このような構成によっても袋部４０ａの膨らみを抑えることができる。
【００５１】
（４）
袋部４０ａを形成する材料は、必ずしも１種類である必要はなく、複数の異なる伸縮性を有する材料で袋部４０ａを形成してもよい。例えば、袋部４０ａの下面の中央部分は比較的伸縮性の低い材料で形成し、袋部４０ａの下面の周辺部分は比較的伸縮性の高い材料で形成することが考えられる。この場合、圧力発生空間ＰＳに空気が送られると、静圧によって袋部４０ａが膨らむが部分によって伸縮性が異なるため、部分によって膨らみ方が異なる。従って、複数の異なる伸縮性を有する材料で袋部４０ａを形成することによって、膨らんだ状態の袋部４０ａを所望の形状にすることができる。
【００５２】
（５）
上記の実施形態において、袋部４０ａの周囲にテンションアジャスターを配置してもよい。このテンションアジャスターは、袋部４０ａのテンションを調整する機構である。袋部４０ａが伸縮性を有する材料によって形成されると、圧力発生空間ＰＳの静圧や自重などによって、袋部４０ａの下面が下方に凸に膨らんだ形状となる。そして、下面の下方への垂れ下がり量は、経時変化により大きくなる。このような場合に、テンションアジャスターによって、袋部４０ａの一部を巻き取って袋部４０ａにテンションをかけて垂れ下がり量を低減させるとよい。これにより、袋部４０ａを所定形状に保持することができる。
【００５３】
（６）
上記の実施形態では、袋部４０ａは伸縮性を有する材料によって形成されているが、伸縮性の少ない、或いは伸縮性を有さない材料によって形成されてもよい。これにより、袋部４０ａの下面の垂れ下がりの増大を防止することができる。
（７）
外部フレーム５ａなどに輻射温度センサーを設け、室内機に吸込み温度センサーを設けて、制御部（図示せず）による室内の温度制御を行ってもよい。輻射温度センサーは、対象となる人や寝具等の輻射温度を測定する。吸込み温度センサーは、室内機に吸込まれる空気の温度を測定することによって、室内Ｒの温度を測定する。制御部は、輻射温度と吸込み温度とに基づいて、吹出される空気の温度や風量などを制御する。これにより、より適切な室内Ｒの温度制御が可能である。
【００５４】
また、上記の輻射温度センサーの向きを変更可能な構造としてもよい。これにより、輻射パネル４ａのうち輻射温度の測定が必要な部分の輻射温度の測定が可能となり、より適切な室内Ｒの温度制御が可能である。
さらに、輻射温度センサーが人検知センサーを兼ねてもよい。輻射温度センサーによって室内Ｒへの人の出入りを検知することによって、人の出入りにあわせて空気調和機１００のオン・オフを自動的に行う制御を行うことができる。
【００５５】
（８）
輻射パネル構造体１ａに、袋部４０ａ内の圧力発生空間ＰＳの圧力を測定する圧力センサーと、圧力発生空間ＰＳ内の空気を抜くための弁とが備えられ、圧力発生空間ＰＳ内の圧力が所定レベルを超えたときに弁を開く制御が行われてもよい。また、圧力センサーが無くても所定圧力に達すると開き、それ以下では閉じる自動調整が可能な弁が用いられてもよい。これにより、袋部４０ａの膨らみを所定レベル以下に抑えることができる。
【００５６】
（９）
袋部４０ａの下面をそれぞれ別々に吹出しを行うことができる複数の吹出し部分によって構成して、室内Ｒの所定部分を狙って微風吹出しを行う制御が行われてもよい。これにより、よりきめ細かい部分的な温度調整が可能となる。
（１０）
上記の実施形態では、袋部４０ａに断熱材４２が固定されているが、内部フレーム４１ａに断熱材４２が固定されてもよい。または、外部フレーム５ａに断熱材４２が固定されてもよい。このような構成によっても、上記と同様に天井面ＣＬでの結露の発生を抑えることができる。
【００５７】
（１１）
上記の実施形態では、室内Ｒの空気を室内機ケーシング２３に取り込んで輻射パネル構造体１ａへと送っているが、室外から取り込んだ空気を輻射パネル構造体１ａへと送ってもよい。また、室内機２ａと室外機３とが一体となった空気調和機が用いられてもよい。
（１２）
上記の実施形態において、内部フレーム４１ａが、伸縮構造を有してもよい。袋部４０ａの内部に内部フレーム４１ａを挿入した状態で、内部フレーム４１ａを伸張させることができる。これにより、袋部４０ａに所定のテンションが作用した状態とすることができる。また、内部フレーム４１ａを袋部４０ａから取り外すときには、内部フレーム４１ａを収縮させることによって、内部フレーム４１ａを袋部４０ａから容易に取り外すことができる。
【００５８】
（１３）
上記の実施形態では、輻射パネル４ａは平面視において長方形の形状を有しているが、他の形状を有するものでもよい。例えば、正方形や６角形のなどの他の多角形や円形のものであってもよい。
（１４）
上記の実施形態では、輻射パネル４ａと室内機２ａとは、ダクト９を介して接続されているが、輻射パネル４ａが室内機２ａに固定されており、輻射パネル４ａと室内機２ａとが一体とされていてもよい。
【産業上の利用可能性】
【００５９】
本発明は、美観を向上させることができる効果を有し、輻射パネル構造体および空気調和機として有用である。
【図面の簡単な説明】
【００６０】
【図１】空気調和機および空気調和機が配置された室内の側面図。
【図２】図１におけるII−II断面図。
【図３】（ａ）輻射パネルの平面図。  （ｂ）輻射パネルの側面図。
【図４】輻射パネルの側面断面図。
【図５】（ａ）内部フレームの平面図。（ｂ）内部フレームの側面図。
【図６】図５（ｂ）におけるVI−VI断面図。
【図７】図２におけるVII−VII断面図。
【図８】室内機と室外機との冷媒回路図。
【図９】空気調和機による温度調整を示す模式図。
【図１０】他の実施形態にかかる室内機を示す図。
【符号の説明】
【００６１】
１ａ        輻射パネル構造体
２ａ、２ｂ  室内機（送風装置）
４０ａ      袋部
４１ａ      内部フレーム
４６        内部フレーム挿入口（開口）
４７        開閉部
１００      空気調和機
ＣＬ        天井面
Ｌ１−Ｌ６  線状部材
ＰＳ        圧力発生空間（内部空間）
Ｒ          室内
【図１】
2005140386.tif 000003
【図２】
2005140386.tif 000004
【図３】
2005140386.tif 000005
【図４】
2005140386.tif 000006
【図５】
2005140386.tif 000007
【図６】
2005140386.tif 000008
【図７】
2005140386.tif 000009
【図８】
2005140386.tif 000010
【図９】
2005140386.tif 000011
【図１０】
2005140386.tif 000012